(57)【要約】【課題】  躯体柱に隣接して設置されるスタッド材を、躯体柱に干渉させずに容易に設置できるスタッド材の設置構造を提供することを目的とする。【解決手段】  スタッド材の設置構造１は、基礎Ｆに立設した躯体柱２を挟んで形成する壁体３の壁下地材であるスタッド材４を、躯体柱２に隣接して設置する構造であって、垂直方向に延び、壁体３の壁ボード材５を固定する長尺なスタッド材４と、スタッド材４の下端部を嵌合して載置する上方が開いた水平方向へ延びる溝６ａの底板６１を、基礎Ｆに固定される第１底板６１ａと、躯体柱を基礎Ｆに固定するアンカーボルト２２の上端よりも高い位置に配される第２底板６１ｂと、によって互いに高さの異なる２つの高さで段状に形成した段型ランナー材と、を備える。【選択図】図７
2019116803.tif 000002
【特許請求の範囲】
【請求項１】
基礎に立設した躯体柱を挟んで形成する壁体の壁下地材であるスタッド材を、前記躯体柱に隣接して設置するスタッド材の設置構造であって、
垂直方向に延び、前記壁体を形成する壁ボード材を固定する長尺な前記スタッド材と、
前記スタッド材の下端部を嵌合して載置する上方が開いた水平方向へ延びる溝の底板を、前記基礎に固定される第１底板と、前記躯体柱を前記基礎に固定するアンカーボルトの上端よりも高い位置に配される第２底板と、によって互いに高さの異なる２つの高さで段状に形成した段型ランナー材と、を備えることを特徴とするスタッド材の設置構造。
【請求項２】
前記段型ランナー材は、前記溝の側面を形成する一対の側板間同士の距離を前記スタッド材の奥行き方向の幅と略同一に形成し、且つ、前記側板側の幅を前記スタッド材の見付面側の幅の倍数と略同一に形成することを特徴とする請求項１に記載のスタッド材の設置構造。
【発明の詳細な説明】
【技術分野】
【０００１】
この発明は、基礎に立設した躯体柱を挟んで形成する壁体の壁下地材であるスタッド材の設置構造に関する。
【背景技術】
【０００２】
施工現場において、壁体を形成する壁ボード材を固定する柱やスタッド材などの垂直材を床や基礎などの上部に立設する場合、垂直材の下端が、床面や基礎上面から突出するアンカーボルトに干渉することがある。そこで従来より、断面略コ字型の金物をアンカーボルトの上部に被せて金物の上面に垂直材を立設することにより、垂直材の下端部とアンカーボルトとの干渉を防止する構造が知られている。（特許文献１、特許文献２、特許文献３）
【先行技術文献】
【特許文献】
【０００３】
【特許文献１】特開平１１−２８７００５
【特許文献２】特開平７−１９７５２２
【特許文献３】特開平９−１５８３２２
【発明の概要】
【発明が解決しようとする課題】
【０００４】
しかしながら、特許文献１に記載の発明では、予めＬ型アングルをアンカーボルトに挿通してナットで締付けておき、垂直材である長尺部材を載置する固定用金物をＬ型アングルに挟着して、さらに固定用金物の上部に載置した長尺部材と固定用金物とをビスで固定しなければならず、長尺部材の設置に手間がかかるという問題点が挙げられる。
【０００５】
一方、特許文献２及び３に記載の金具は木造建築物に使用される柱脚金物であり、垂直材である補強柱を土台に固定するための結合金物を、やはり事前に土台の上面から突出するアンカーボルトに設置してからナットを締め込み、補強柱を載置する載置金物をアンカーボルトの上部に被せて結合金物と補強柱とを釘留めしなければならず、補強柱を設置完了するまでに時間がかかる。
【０００６】
また、軽量形鋼のスタッド材を、下端にベースプレートを溶接した鉄骨柱に隣接して設置する場合、鉄骨柱を設置する躯体工事とスタッド材を設置する軽量形鋼工事とでは工種や施工を行うタイミングが全く異なるため、特許文献１及び２のようにスタッド材の下端を固定する金具を鉄骨柱のベースプレートを固定するアンカーボルトに予め設置することは非現実的である。このような場合、図８（ａ）に示すように、スタッド材Ｘを鉄骨柱Ｈに溶接されたベースプレートＺ１を避けるように壁体Ｙの面内方向へずらして設置すればスタッド材Ｘの下端部とベースプレートＺ１及びベースプレートＺ１を固定するアンカーボルトＺ２との干渉を防ぐことができる。しかしながら、壁体Ｙが、例えば建築基準法上の防火区画や面積区画などの区画壁を形成する界壁体である場合、鉄骨柱Ｈの断面寸法が大きいと面内方向に隣接するスタッド材Ｘ同士が離れすぎてしまい、スタッド材Ｘの中心間の距離Ｌａを法令で定められた規定距離Ｌｂ以内に収めることが出来ない。また、図８（ｂ）に示すように、スタッド材ＸをベースプレートＺ１を避けるように壁体Ｙの面外方向へずらして配置すればスタッド材Ｘの中心間の距離Ｌａを規定距離Ｌｂ以下に納めることができるが、壁体Ｙの壁厚が大きくなるため室内空間を狭めることになる。
【０００７】
そこで、本発明は、上述した課題を鑑みてなされたものであり、基礎に立設した躯体柱に隣接して設置されるスタッド材を、躯体柱の下端に溶接されたベースプレート及びベースプレートを固定するアンカーボルトと干渉させずに容易に設置できるスタッド材の設置構造を提供することを目的とする。
【課題を解決するための手段】
【０００８】
本発明のスタッド材の設置構造は、基礎に立設した躯体柱を挟んで形成する壁体の壁下地材であるスタッド材を、前記躯体柱に隣接して設置するスタッド材の設置構造であって、垂直方向に延び、前記壁体を形成する壁ボード材を固定する長尺な前記スタッド材と、前記スタッド材の下端部を嵌合して載置する上方が開いた水平方向へ延びる溝の底板を、前記基礎に固定される第１底板と、前記躯体柱を前記基礎に固定するアンカーボルトの上端よりも高い位置に配される第２底板と、によって互いに高さの異なる２つの高さで段状に形成した段型ランナー材と、を備えることを特徴としている。
【０００９】
本発明のスタッド材の設置構造は、前記段型ランナー材が、前記溝の側面を形成する一対の側板間同士の距離を前記スタッド材の奥行き方向の幅と略同一に形成し、且つ、前記側板側の幅を前記スタッド材の見付面側の幅の倍数と略同一に形成することを特徴としている。
【発明の効果】
【００１０】
本発明のスタッド材の設置構造によると、段型ランナー材の溝の底板が異なる２つの高さで段状に形成され、基礎に固定される第１底板と、躯体柱を基礎に固定するアンカーボルトの上端よりも高い位置に配される第２底板を有しているので、第２底板をアンカーボルトの上端よりも上方に配置した状態で第１底板を基礎に固定し、第２底板にスタッド材の下端を載置することによって、スタッド材の下端部をアンカーボルトに干渉させることなく設置することができる。また、スタッド材は、段型ランナー材の溝に嵌合させるだけで所定の位置に設置することができるので、容易に施工を行うことができる。
【００１１】
本発明のスタッド材の設置構造によると、段型ランナー材は、溝の側面を形成する一対の側板間同士の距離をスタッド材の奥行き方向の幅と略同一に形成し、且つ、側板側の幅をスタッド材の見付面側の幅の倍数と略同一に形成するので、スタッド材を段型ランナー材に押し込むと、スタッド材の下端部は確実に段型ランナー材に嵌合することができ、また、段型ランナー材がスタッド材よりも水平方向に突出することがない。したがって、壁ボード材をスタッド材のどの方向の面に固定しても、壁ボード材の下端部と段型ランナー材とが干渉して壁ボード材とスタッド材との間に隙間が生じることがなく、安定した状態で壁ボード材を固定することができる。
【図面の簡単な説明】
【００１２】
【図１】スタッド材の設置構造を示す断面図。
【図２】図１のＡ−Ａ断面図。
【図３】図１のＢ−Ｂ一部省略断面図。
【図４】図２のＣ部分拡大断面図。
【図５】段型ランナー材を示す斜視図。
【図６】スタッド材の設置構造を示す斜視図。
【図７】（ａ）  断面寸法の大きい柱を挟んで形成する壁体にスタッド材の設置構造を実施した場合を示す断面図。
【図７】（ｂ）  出隅を有する壁体にスタッド材の設置構造を実施した場合を示す断面図。
【図８】躯体柱を避けてスタッド材を設置した場合の壁体を示す断面図。
【発明を実施するための形態】
【００１３】
以下、スタッド材の設置構造の最良の実施形態について各図を参照しつつ説明する。本願のスタッド材の設置構造は、主に鉄骨柱を挟んで壁体を形成する際に用いられる構造であり、特に、建築基準法に定められる面積区画や防火区画などの区画を形成し、面内方向に隣接するスタッド材同士の中心間の距離が規定されている界壁体に用いられる。なお、本願のスタッド材の設置構造は界壁体以外の壁体にも用いられるがここでは、壁体が界壁体である場合について説明する。
【００１４】
スタッド材の設置構造１は、図１から図３に示すように、基礎Ｆに立設した躯体柱２を挟んで形成する壁体３の壁下地材であるスタッド材４を、躯体柱２に隣接して設置する構造であって、垂直方向に延び、壁体３の壁ボード材５を固定する長尺なスタッド材４と、上方が開いた水平方向へ延びる溝６ａにスタッド材４の下端部を嵌合して基礎Ｆに固定される段型ランナー材６と、を備えている。
【００１５】
建物の躯体である躯体柱２は、図１及び図２に示すように、垂直方向へ長尺な鉄骨材で形成しており、柱本体部２０と、柱本体部２０の下端に溶接されたベースプレート２１と、によって構成される。建物の基礎Ｆの上部に載置されるベースプレート２１は、図１に示すように、柱本体部２０よりも断面形状が大きく、平面視において柱本体部２０よりも水平方向に突出している。図２に示すように、基礎Ｆの上面からは、基礎Ｆの内部に埋設されたアンカーボルト２２の上端部が突出しており、躯体柱２は、ベースプレート２１に設けた孔（図示しない）にアンカーボルト２２の上端部を挿通してベースプレート２１の上方からナット２３を締付けることにより基礎Ｆに固定される。なお図示例では、柱本体部２０がＨ形鋼となっているが、柱本体部２０はその他の種類の形鋼であってもよい。
【００１６】
壁体３は、建築基準法上の面積区画や防火区画などの区画を構成する界壁体であり、図１及び図３に示すように、躯体柱２を挟んで基礎Ｆの上面から上階の床版Ｓの下面までを閉塞するように形成される。なお、図示例では壁体３の上部が床版Ｓに当接しているが、壁体３は、界壁体を形成可能であればその上部を床版Ｓではなく屋根スラブに当接してもよい。
【００１７】
壁体３は、図１及び図３に示すように、長尺なスタッド材４、スタッド材４に固定される板状の壁ボード材５、躯体柱２に隣接して基礎Ｆに固定される段型ランナー材６、床版Ｓの下面に固定され下方が開いた溝を有する上ランナー材７及び基礎Ｆの上面に固定され上方が開いた溝を有する下ランナー材８、によって構成される。
【００１８】
長尺なスタッド材４は軽量形鋼で形成された角鋼で、その長さは、各ランナー材６、７、８をそれぞれ基礎Ｆ及び床版Ｓに設置した際に、上ランナー材７の底板から下ランナー材８の底板までの距離、又は、上ランナー材７の底板から段型ランナー材６の底板６１までの距離とほぼ同一となるように現場で加工される。また、図２に示す壁体３の面内方向に隣接するスタッド材４の中心間の距離である第１距離Ｌ１は、界壁体の種類によって規定されている。
【００１９】
段型ランナー材６は、図４及び図６に示すように、スタッド材４の下端部を支持する部材で、壁下地材として通常用いられる軽量形鋼製の溝型のランナー材を段状に形成した金物である。段型ランナー材６は、図５に示すように、上方が開いた水平方向へ延びる溝６ａの底板６１を互いに異なる高さで段状に形成しており、水平方向へ延出する２つの底板６１と、２つの底板６１同士を繋ぐ連結板６２と、底板６１及び連結板６２によって形成される段形状に沿うように２つの底板６１の側端から垂直方向へ延びて溝６ａの側面を形成する一対の側板６３と、によって構成される。
【００２０】
２つの底板６１は、図４及び図５に示すように、水平方向に延びて基礎Ｆに固定される第１底板６１ａと、第１底板６１ａよりも上方に配置される第２底板６１ｂと、を有している。第２底板６１ｂは、連結板６２の立上り分だけ上方へ持ち上がっており、基礎Ｆの上面から第２底板６１ｂの下面までの第１高さＨ１は、基礎Ｆの上面からアンカーボルト２２の上端までの第２高さＨ２よりも高くなるように形成されている。段型ランナー材６は、設置するスタッド材４の形状に合わせて形成されており、図５に示す一対の側板６３間同士の第２距離Ｌ２を、図３に示すスタッド材４の奥行き方向の奥行き幅Ｄと略同一に形成し、且つ、図４に示す側板６３側の第１幅Ｗ１をスタッド材４の見付面側の第２幅Ｗ２の倍数と略同一に形成している。なお、第１幅Ｗ１は必ずしも第２幅Ｗ２の倍数と略同一にする必要はなく、スタッド材４を必要本数分設置可能な幅であればよい。また、本願において「スタッド材の見付面」とは、スタッド材４を段型ランナー材６に設置した際に、壁体３の面外方向からスタッド材４を見て視認できる面のことを指す。
【００２１】
また、図３及び図６に示すように、上ランナー材７及び下ランナー材８は、壁下地材として通常用いられる従来既知の水平方向へ長尺な溝型部材で、溝にそれぞれスタッド材４の上下端部を嵌合することができる。
【００２２】
続いて、スタッド材の設置構造１の施工手順について説明する。まず、図２に示すように、基礎Ｆに立設した躯体柱２に隣接して段型ランナー材６を基礎Ｆに固定する。具体的には、図４に示すように、段型ランナー材６の第２底板６１ｂを躯体柱２の方向へ向けた状態で第１底板６１ａをベースプレート２１に隣接して設置し、タッピングビス（図示しない）で基礎Ｆに固定する。このとき、先述したように、第１高さＨ１は第２高さＨ２よりも高く形成されているので、第２底板６１ｂをベースプレート２１及びアンカーボルト２２の上方に配置することができる。また、第２底板６１ｂの先端をどこまで躯体柱２に近接させるかは、所望するスタッド材４間の第１距離Ｌ１によって決定する。
【００２３】
次に、図２及び図３に示すように、上ランナー材７の溝を下方へ向けた状態で上ランナー材７を床版Ｓの下面の段型ランナー材６と対向する位置に配置し、タッピングビス（図示しない）で床版Ｓに固定する。また、図６に示すように、段型ランナー材６の第１底板６１ａ側の端部に隣接して下ランナー材８を基礎Ｆの上面にタッピングビス（図示しない）で固定する。そして、図２及び図３に示されるように、予め必要な長さに加工されたスタッド材４の下端部を段型ランナー材６の第２床板６１ｂの部分に嵌め込んでスタッド材４の下端を第２底板６１ｂに当接させ、また、スタッド材４の上端部を上ランナー材７に嵌め込んでスタッド材４の上端を溝の底板に当接させて２本のスタッド材４を立設する。そして、３本目のスタッド材４を段型ランナー材６の第１底板６１ａの部分及び上部ランナー材７に嵌め込み、スタッド材４の設置を完了する。なお、図示例では段型ランナー材６に３本のスタッド材４を嵌合しているが、スタッド材４の数に制約はなく、現場の状況に応じて設置本数を増減してよい。また、段型ランナー材６の第１幅Ｗ１は、先述したように嵌合するスタッド材４の本数と第２幅Ｗ２によって調整して形成することができる。最後に、図１に示すようにスタッド材４の表面に壁ボード材５をビス固定して壁体３を形成する。
【００２４】
なお、スタッド材４は、上下に配置された各ランナー材６、７、８に嵌め込むだけで設置可能であるが、図４に示すように、段型ランナー材６の側板６３からリベットやビスなどの固定具６５を打ち込んでスタッド材４と段型ランナー材６とを一体化してもよい。
【００２５】
このように形成される本願のスタッド材の設置構造１は、異なる２つの底板６１を形成した段型ランナー材６を用いるので、第２底板６１ｂに載置されたスタッド材４の下端は、ベースプレート２１やアンカーボルト２２に干渉することなく立設することができる。したがって、例えば、図７（ａ）に示すように躯体柱２が、２つのＨ形鋼を組み合わせた断面寸法の大きな柱である場合であっても、スタッド材４の第１距離Ｌ１を規定距離Ｌｂ以内に収めることが可能となる。さらに、段型ランナー材６は、躯体柱２から独立して容易に基礎Ｆに固定することができるので、施工性を向上させることができる。
【００２６】
また、段型ランナー材６の第２距離Ｌ２をスタッド材４の奥行き幅Ｄと略同一に形成し、且つ、側板６２側の第１幅Ｗ１をスタッド材４の第２幅Ｗ２の倍数と略同一に形成しているので、段型ランナー材６にスタッド材４を嵌合させた際、段型ランナー材６がスタッド材４よりも水平方向に突出することがない。したがって、例えば図７（ｂ）に示すように、外壁９に隣接して出隅を有する壁体３を形成する場合、スタッド材４のどの側面に壁ボード材５を固定しても、段型ランナー材６が壁ボード材５の下端部に干渉して壁ボード材５とスタッド材４との間に隙間が生じるということがなく、安定した状態で壁ボード材５を固定することが可能となる。
【００２７】
また、本発明の実施の形態は上述の形態に限ることなく、本発明の思想の範囲を逸脱しない範囲で適宜変更することができる。
【産業上の利用可能性】
【００２８】
この発明は、基礎に立設した躯体柱を挟んで形成する界壁体の壁下地材であるスタッド材を、躯体柱に隣接して設置する際に好適に使用することができる。
【符号の説明】
【００２９】
１      スタッド材の設置構造
２      躯体柱
３      壁体
４      スタッド材
５      壁ボード材
６      段型ランナー材
６１    底板
６１ａ  第１底板
６１ｂ  第２底板
６３    側板
Ｆ      基礎
Ｌ２    第２距離（一対の側板間同士の距離）
Ｄ      奥行き幅（スタッド材の奥行き方向の幅）
Ｗ１    第１幅（段型ランナー材の側板側の幅）
Ｗ２    第２幅（スタッド材の見付面側の幅）
【図１】
2019116803.tif 000003
【図２】
2019116803.tif 000004
【図３】
2019116803.tif 000005
【図４】
2019116803.tif 000006
【図５】
2019116803.tif 000007
【図６】
2019116803.tif 000008
【図７】
2019116803.tif 000009
【図８】
2019116803.tif 000010